(57)【要約】【課題】利用者の首部分に圧迫感を感じさせることなく、首部分に密着しながら、しっかりと貼り付け可能な首用貼付材を提供する。【解決手段】首部分に貼り付けるための首用貼付材１，１１，２１であって、帯形状に形成され、帯形状の長手方向に沿って延びる一対の長辺部２，３，２２，２３に複数の切欠部２ａ，３ａ，２２ａ，２３ａを形成し、切欠部２ａ，３ａ，２２ａ，２３ａから長手方向と交わる方向に沿って延びる少なくとも１つのスリット４，５，６，２４，２５，２６を形成しており、長辺部２，３，２２，２３が首部分の周方向に沿って貼り付けられる構成となっている、首用貼付材１，１１，２１。【選択図】図２
2010179027.tif 000002
【特許請求の範囲】
【請求項１】
首部分に貼り付けるための首用貼付材であって、
帯形状に形成され、前記帯形状の長手方向に沿って延びる一対の長辺部に複数の切欠部を形成し、前記切欠部から前記長手方向と交わる方向に沿って延びる少なくとも１つのスリットを形成しており、前記長辺部が首部分の周方向に沿って貼り付けられる構成となっている、首用貼付材。
【請求項２】
前記一対の長辺部のうちの一方に設けられる複数の切欠部が、前記一対の長辺部のうちの他方に設けられる複数の切欠部と対向して配置され、前記スリットが、前記対向して配置した切欠部同士の間に配置されている、請求項１に記載の首用貼付材。
【請求項３】
前記一対の長辺部のうちの一方に設けられる複数の切欠部が、前記一対の長辺部のうちの他方に設けられる複数の切欠部と前記長手方向にずれて配置されている、請求項１に記載の首用貼付材。
【請求項４】
前記長手方向と直交する方向に湾曲する半円弧形状の切り込み部が、前記長手方向の中間部分に設けられている、請求項１〜３のいずれか一項に記載の首用貼付材。
【発明の詳細な説明】
【技術分野】
【０００１】
本発明は、首部分に貼り付けるための首用貼付材に関する。
【背景技術】
【０００２】
首部分には、美容や治療などのために薬品を含んだ首用貼付材が貼り付けられることがある。このような首用貼付材は、肌に密着した状態で美容効果や治療効果を発揮する。
【０００３】
しかしながら、首部分からアゴのラインや首部分からエラにかけてのラインなどの首部分のラインは大きく湾曲しており、さらに、このような部分は、捩れなどの複雑な動きをする。そのため、首部分に貼り付けられた首用貼付材は、剥がれ易くなっている。そこで、このような首用貼付材には、首部分から剥がれ難いことが求められている。このような要求に応じるため、特許文献１のような構造が提案されている。
【０００４】
特許文献１では、シート状の首用貼付材が略長方形状に形成されて、この首用貼付材の長手方向の両端部に孔が空けられている。この孔を耳に引っ掛けることによって、首用貼付材が首部分に貼り付けられている。
【先行技術文献】
【特許文献】
【０００５】
【特許文献１】実用新案登録第３１２０５０２号公報
【発明の概要】
【発明が解決しようとする課題】
【０００６】
しかしながら、特許文献１のような首用貼付材では、首用貼付材の孔を耳に引っ掛けることが利用者にとって煩わしいものとなっている。また、首用貼付材において両端部に設けられた孔の間の部分が引っ張られたときに、首用貼付材が首部分に触れると、利用者は首部分に圧迫感を感じることとなる。
【０００７】
そこで、本発明の課題は、首部分に密着する一方で、利用者の首部分に圧迫感を感じさせることなく、かつ首部分から剥がれ難い首用貼付材を提供することにある。
【課題を解決するための手段】
【０００８】
課題を解決するために本発明の首用貼付材は、首部分に貼り付けるための首用貼付材であって、帯形状に形成され、前記帯形状の長手方向に沿って延びる一対の長辺部に複数の切欠部を形成し、前記切欠部から前記長手方向と交わる方向に沿って延びる少なくとも１つのスリットを形成しており、前記長辺部が首部分の周方向に沿って貼り付けられる構成となっている。
【０００９】
本発明の首用貼付材では、前記一対の長辺部のうちの一方に設けられる複数の切欠部が、前記一対の長辺部のうちの他方に設けられる複数の切欠部と対向して配置され、前記スリットが、前記対向して配置した切欠部同士の間に配置されている。
【００１０】
本発明の首用貼付材では、前記一対の長辺部のうちの一方に設けられる複数の切欠部が、前記一対の長辺部のうちの他方に設けられる複数の切欠部と前記長手方向にずれて配置されている。
【００１１】
本発明の首用貼付材では、前記長手方向と直交する方向に湾曲する半円弧形状の切り込み部が、前記長手方向の中間部分に設けられている。
【発明の効果】
【００１２】
本発明の首用貼付材によれば、以下の効果を得ることができる。本発明の首用貼付材は、首部分に貼り付けるための首用貼付材であって、帯形状に形成され、前記帯形状の長手方向に沿って延びる一対の長辺部に複数の切欠部を形成し、前記切欠部から前記長手方向と交わる方向に沿って延びる少なくとも１つのスリットを形成しており、前記長辺部が首部分の周方向に沿って貼り付けられる構成となっている。そのため、前記首用貼付材が首部分に貼り付けられた状態では、前記切欠部が前記スリットを中心として前記長手方向に伸縮できる。従って、首部分が動く場合、および首部分の動きに伴って皮膚が伸縮する場合に、前記スリットおよび前記切欠部の伸縮によって、記首用貼付材が、首部分のライン、首部分の動き、および皮膚の伸縮に追従できることとなる。また、前記切欠部および前記スリットによって、前記首用貼付材が首部分の皮膚を引っ張りにくくなっている。よって、前記首用貼付材が、首部分に密着する一方で、首部分に圧迫感を与え難く、かつ剥がれ難くなっている。
【００１３】
本発明の首用貼付材では、前記一対の長辺部のうちの一方に設けられる複数の切欠部が、前記一対の長辺部のうちの他方に設けられる複数の切欠部と対向して配置され、前記スリットが、前記対向して配置した切欠部同士の間に配置されており、前記首用貼付材が首部分に貼り付けられた状態では、アゴに近い上側の前記長辺部の切欠部が、首部分の大きく湾曲したラインに対応して前記スリットを中心として広がる一方で、上側の前記長辺部の切欠部に対向する下側の前記長辺部の切欠部が、広がった上側の前記長辺部の切欠部に対応して狭まることとなる。そのため、前記首用貼付材が、首部分の複雑なラインに対応して貼り付けられることとなり、さらに首部分の皮膚の動きに追従し易くなっている。よって、前記首用貼付材が、首部分に密着する一方で、さらに首部分に圧迫感を与え難く、かつさらに剥がれ難くなっている。
【００１４】
本発明の首用貼付材では、前記一対の長辺部のうちの一方に設けられる複数の切欠部が、前記一対の長辺部のうちの他方に設けられる複数の切欠部と前記長手方向にずれて配置されており、前記首用貼付材が首部分に貼り付けられた状態では、アゴに近い上側の前記長辺部の切欠部が、首部分の大きく湾曲したラインに対応して前記スリットを中心として広がる一方で、下側の前記長辺部の切欠部が、広がった上側の前記長辺部の切欠部に対応して狭まることとなる。そのため、前記首用貼付材が、首部分の複雑なラインに対応して貼り付けられることとなり、さらに首部分の皮膚の動きに追従し易くなっている。加えて、下側の前記長辺部の切欠部が、上側の前記長辺部の切欠部とずれて配置されることによって、前記首用貼付材が、上側の前記長辺部の切欠部と異なる位置の動きに追従することができる。よって、前記首用貼付材が、首部分に密着する一方で、さらに首部分に圧迫感を与え難く、かつさらに剥がれ難くなっている。
【００１５】
本発明の首用貼付材では、前記長手方向と直交する方向に湾曲する半円弧形状の切り込み部が、前記長手方向の中間部分に設けられており、前記切り込み部は、特に圧迫感を感じ易い首部分の喉元に位置することとなる。そのため、前記首用貼付材が首部分の喉元でも変形し易くなり、喉元の皮膚が引っ張られ難くなっている。よって、前記首用貼付材が、さらに首部分に密着する一方で、さらに首部分に圧迫感を与え難く、かつさらに剥がれ難くなっている。
【図面の簡単な説明】
【００１６】
【図１】（ａ）は、本発明の第１実施形態における首用貼付材の概略を示す平面図であり、（ｂ）は、図１のＡ−Ａ断面の概略を拡大して示した図である。
【図２】（ａ）は、本発明の第１実施形態における首用貼付材を首部分に貼り付けた一例であり、（ｂ）は、本発明の第１実施形態における首用貼付材を首部分に貼り付けたさらなる一例である。
【図３】本発明の第１実施形態の変形例における首用貼付材の一例を示す平面図である。
【図４】本発明の第２実施形態における首用貼付材の概略を示す平面図である。
【図５】本発明の第２実施形態の変形例における首用貼付材の一例を示す平面図である。
【図６】本発明の第２実施形態の変形例における首用貼付材の一例を示す平面図である。
【図７】本発明の第２実施形態の変形例における首用貼付材の一例を示す平面図である。
【図８】本発明の第２実施形態の変形例における首用貼付材の一例を示す平面図である。
【図９】本発明の第２実施形態の変形例における首用貼付材の一例を示す平面図である。
【図１０】本発明の第２実施形態の変形例における首用貼付材の一例を示す平面図である。
【図１１】本発明の第２実施形態の変形例における首用貼付材の一例を示す平面図である。
【図１２】本発明の第２実施形態の変形例における首用貼付材の一例を示す平面図である。
【図１３】本発明の第２実施形態の変形例における首用貼付材の一例を示す平面図である。
【図１４】本発明の第３実施形態における首用貼付材の概略を示す平面図である。
【図１５】本発明の第３実施形態の変形例における首用貼付材の一例を示す平面図である。
【図１６】本発明の第４実施形態の変形例における首用貼付材の一例を示す平面図である。
【発明を実施するための形態】
【００１７】
本発明の実施形態における首用貼付材について以下に説明する。
【００１８】
（第１実施形態）
本発明の第１実施形態における首用貼付材について説明する。図１（ａ）は、本発明の第１実施形態における首用貼付材１の平面図であり、図１（ｂ）は、Ａ−Ａ断面の概略を拡大して示した図である。首用貼付材１の形状について図１（ａ）を参照しながら説明する。首用貼付材１は、帯形状に形成されており、帯形状の長手方向に沿って延びる第１長辺部２および第２長辺部３を有している。
【００１９】
第１長辺部２には、複数の第１切欠部２ａが形成されている。なお、第１実施形態では、一例として、第１切欠部２ａを５つとして説明する。第２長辺部３には、第１切欠部２ａに対向して複数の第２切欠部３ａがそれぞれ形成されている。なお、第１実施形態では、一例として、第２切欠部３ａを５つとして説明する。第１切欠部２ａおよび第２切欠部３ａは、首用貼付材１において長手方向に直交する方向の中央に向かって切り欠かれたＶ字状に形成されている。
【００２０】
第１長辺部２における長手方向の両端に位置する２つの第１切欠部２ａと、第２長辺部３における長手方向の両端に位置する２つの第２切欠部３ａとの間には、それぞれ第１スリット４が形成されている。第１スリット４は、２つのスリット部４ａ，４ｂを有している。２つのスリット部４ａ，４ｂは、首用貼付材１の長手方向に直交する方向に沿って並んでおり、さらに互いに間隔を空けて配置されている。２つのスリット部４ａ，４ｂのうちの第１長辺部２側に位置するスリット部４ａは、第１切欠部２ａから延びるように配置されている。２つのスリット部４ａ，４ｂのうちの第２長辺部３側に位置するスリット部４ｂは、第２切欠部３ａと間隔を空けて配置されている。
【００２１】
ここで首用貼付材１の断面構造について図１（ｂ）を参照しながら説明する。首用貼付材１は、支持体層１ａ、ゲル層１ｂ、保護フィルム層１ｃの順に積層される３層構造となっている。支持体層１ａは、一例として、コットン、パルプ、レーヨン、ナイロン、セルロース、ＰＥＴ、ＰＶＡ、ＰＶＰ、ＰＶＣなどから選択される材料によって構成されるとよい。
【００２２】
ゲル層１ｂは、一例として、アクリル系ポリマーを多価金属塩で架橋したものに、ゼラチンおよび寒天などの保型性の高い高分子を混合し、グリセリンを中心とした多価アルコールを組み合せることによってゲル化したものが用いられるとよく、その他の方法によりゲル化したものが用いられてもよい。また、ゲル層１ｂは、さらなる一例として、アクリル酸、アクリル酸塩、ポリアクリル酸、ポリアクリル酸塩、メタアクリル酸、メタアクリル酸塩、およびこれらの混合物からなるアクリル酸系水溶性重合体含水ゲルなどの含水基材などから選択される材料から構成されていてもよい。また、このゲル層には、一例として、美容効果を得るための美容成分、化粧用成分、その他の添加物などが含まれていてもよく、さらなる一例として、治療効果を得るための医薬成分、その他の添加物および付形剤などが含まれていてもよい。
【００２３】
保護フィルム層１ｃは、一例として、ＰＥＴ、ＰＰ、ＰＥおよびパルプなどから選択される材料によって構成されるとよい。首用貼付材１の使用時において、この保護フィルム層１ｃが剥がされた後に、首用貼付材１のゲル層１ｂが肌に密着するように貼り付けられることとなる。
【００２４】
図２（ａ）は、本発明の第１実施形態における首用貼付材１を首部分１０１に貼り付けた状態の一例であり、図２（ｂ）は、本発明の第１実施形態における首用貼付材１を首部分１０１に貼り付けた状態のさらなる一例である。図２（ａ）および図２（ｂ）では、成人の顔面の側部周辺が表されている。図２（ａ）および図２（ｂ）では、首用貼付材１が、アゴ１０２、エラ１０３および耳１０４の下方に位置する首部分１０１を覆うように、貼り付けられている。さらに、首用貼付材１の第１長辺部２および第２長辺部３が、首部分１０１の周方向に沿って配置されている。
【００２５】
このとき、第１長辺部２がアゴ１０２寄りの上側に配置され、第２長辺部３が肩（図示せず）寄りの下側に配置されている。首用貼付材１の長手方向の両端は、耳１０４の下方に位置している。また、第１スリット４は、エラ１０３の近傍に位置している。
【００２６】
図２（ａ）および図２（ｂ）における首用貼付材１の状態を説明する。図２（ａ）では、第１スリット４の２つのスリット部４ａ，４ｂが、首部分１０１からエラ１０３に掛けての大きく湾曲したラインに対応して、それぞれ長手方向に広がった状態となっている。このとき、第１切欠部２ａおよび第１スリット４周辺の首用貼付材１は伸びた状態となっている。さらに、第１スリット４の上端に位置する第１切欠部２ａは広がり、この第１切欠部２ａに対向する第２切欠部３ａは狭まることとなる。
【００２７】
図２（ｂ）では、第１スリット４において２つのスリット部４ａ，４ｂが繋がった状態となっている。そのため、第１スリット４は、さらに首部分１０１からエラ１０３に掛けての大きく湾曲したラインに対応して、長手方向に大きく広がった状態となっている。このとき、第１切欠部２ａおよび第１スリット４周辺の首用貼付材１は伸びた状態となっている。さらに、第１スリット４の上端に位置する第１切欠部２ａはさらに広がり、この第１切欠部２ａに対向する第２切欠部３ａはさらに狭まることとなる。
【００２８】
このように首部分からエラにかけてのラインは大きく湾曲しており、このような部分はさらに捩れなどの複雑な動きをする。そのため、首用貼付材１は、とりわけエラ近傍に位置する第１スリット４によって、このような複雑なラインおよび複雑な動きに対応し易い構造となっている。また、第１切欠部２ａおよび第２切欠部３ａは、首用貼付材１を首部分に貼り付けた状態および首部分の動きに対応して、広がりまたは狭まることが可能なように構成されている。
【００２９】
以上のように本発明の第１実施形態によれば、首用貼付材１が首部分に貼り付けられた状態では、第１切欠部２ａおよび第２切欠部３ａが、第１スリット４を中心として長手方向に伸縮できる。従って、首部分が動く場合、および首部分の動きに伴って皮膚が伸縮する場合に、第１切欠部２ａ、第２切欠部３ａおよび第１スリット４の伸縮によって、首用貼付材１が、首部分のライン、首部分の動き、および皮膚の伸縮に追従できることとなる。また、第１切欠部２ａ、第２切欠部３ａおよび第１スリット４によって、首用貼付材１が首部分の皮膚を引っ張りにくくなっている。よって、首用貼付材１が、首部分に密着する一方で、首部分に圧迫感を与え難く、かつ剥がれ難くなっている。
【００３０】
本発明の第１実施形態によれば、首用貼付材１が首部分に貼り付けられた状態では、アゴに近い上側の第１切欠部２ａが、首部分の大きく湾曲したラインに対応して、第１スリット４を中心として広がる一方で、第１切欠部２ａに対向する下側の第２切欠部３ａが、広がった上側の第１切欠部２ａに対応して狭まることとなる。そのため、首用貼付材１が、首部分の複雑なラインに対応して貼り付けられることとなり、さらに首部分の皮膚の動きに追従し易くなっている。よって、首用貼付材１が、首部分に密着する一方で、さらに首部分に圧迫感を与え難く、かつさらに剥がれ難くなっている。
【００３１】
ここまで本発明の第１実施形態について述べたが、本発明は既述の第１実施形態に限定されるものではなく、本発明の技術的思想に基づいて各種の変形および変更が可能である。
【００３２】
例えば、本発明の第１実施形態の第１変形例として、第１切欠部２ａおよび第２切欠部３ａの数が、５つ以外であってもよい。
【００３３】
本発明の第１実施形態の第２変形例として、図３に示すように、第１長辺部２における長手方向の中央に位置する第１切欠部２ａから外側に向かって数えて２番目に位置する２つの第１切欠部２ａと、第２長辺部３における長手方向の中央に位置する第１切欠部２ａから外側に向かって数えて２番目に位置する２つの第２切欠部３ａとの間に、それぞれ第２スリット５が形成されてもよい。第２スリット５は、２つのスリット部５ａ，５ｂを有している。２つのスリット部５ａ，５ｂは、首用貼付材１の長手方向に直交する方向に沿って並んでおり、さらに互いに間隔を空けて配置されている。２つのスリット部５ａ，５ｂのうちの第１長辺部２側に位置するスリット部５ａは、第１切欠部２ａから延びるように配置されている。２つのスリット部５ａ，５ｂのうちの第２長辺部３側に位置するスリット部５ｂは、第２切欠部３ａから延びるように配置されている。
【００３４】
本発明の第１実施形態の第３変形例として、図３に示すように、第１長辺部２における長手方向の中央に位置する第１切欠部２ａと、第２長辺部３における長手方向の中央に位置する第２切欠部３ａとの間に、第４スリット６が形成されてもよい。第４スリット６は、３つのスリット部６ａ，６ｂ，６ｃを有している。３つのスリット部６ａ，６ｂ，６ｃは、首用貼付材１の長手方向に直交する方向に沿って並んでおり、さらに互いに間隔を空けて配置されている。３つのスリット部６ａ，６ｂ，６ｃのうちの第１長辺部２側に位置するスリット部６ａは、第１切欠部２ａ側に配置されている。３つのスリット部６ａ，６ｂ，６ｃのうちの第２長辺部３側に位置するスリット部６ｃは、第２切欠部３ａ側に配置されている。
【００３５】
本発明の第１実施形態の第４変形例として、第１スリット４が、第１長辺部２における長手方向の両端に位置する２つの第１切欠部２ａと、第２長辺部３における長手方向の両端に位置する２つの第２切欠部３ａとの間以外に、他の第１切欠部２ａと当該他の第１切欠部２ａに対向する第２切欠部３ａとの間に設けられてもよい。
【００３６】
本発明の第１実施形態の第５変形例として、第２スリット５が、第１長辺部２における長手方向の中央に位置する第１切欠部２ａから外側に向かって数えて２番目に位置する２つの第１切欠部２ａと、第２長辺部３における長手方向の中央に位置する第１切欠部２ａから外側に向かって数えて２番目に位置する２つの第２切欠部３ａとの間以外に、他の第１切欠部２ａと当該他の第１切欠部２ａに対向する第２切欠部３ａとの間に設けられてもよい。
【００３７】
本発明の第１実施形態の第６変形例では、第１スリット４に設けられるスリット部の数が２つ以外であってもよい。
【００３８】
本発明の第１実施形態の第７変形例では、第２スリット５に設けられるスリット部の数が２つ以外であってもよい。
【００３９】
本発明の第１実施形態の第８変形例では、第３スリット６に設けられるスリット部の数が３つ以外であってもよい。
【００４０】
本発明の第１実施形態の第９変形例では、首用貼付材１が、１層構造に構成されてもよい。このような１つの層は、天然繊維の不織布、合成繊維の不織布、合成繊維および天然繊維の混紡の不織布、並びにこれらを積層したものなどから選択される材料によって構成されるとよい。また、この１つの層に、一例として、美容効果を得るための美容成分、化粧用成分、そのた添加物などが含浸させてもよく、さらなる一例として、治療効果を得るための医薬成分、その他添加物および付形剤などが含まれていてもよい。
【００４１】
本発明の第１実施形態の第１０変形例では、第１実施形態の第１変形例〜第９変形例における構成のいずれかを組み合せて構成してもよい。この一例として、図３に示すように、第１実施形態の第１変形例の第２スリット５と、第１実施形態の第２変形例の第３スリット６とを組み合せて構成してもよい。
【００４２】
以上のような第１実施形態の第１変形例〜第１０変形例によって、首用貼付材１が、さらに首部分に密着する一方で、さらに首部分に圧迫感を与え難く、かつさらに剥がれ難くなっている。
【００４３】
（第２実施形態）
本発明の第２実施形態の首用貼付材について説明する。なお、第２実施形態の首用貼付材の基本的な構成は第１実施形態と同様である。第１実施形態と同様の要素については、第１実施形態と同様の名称および符号を用いて説明する。以下、第１実施形態と異なる点について説明する。
【００４４】
図４は、本発明の第２実施形態における首用貼付材１１の平面図である。首用貼付材１１は、基本的には第１実施形態の首用貼付材１と同様に構成されている。首用貼付材１１の長手方向の中間部分には、長手方向と直交する方向で、かつ第１長辺部２に向かって湾曲する半円弧形状の切り込み部１２が設けられている。この切り込み部１２の長手方向の中央部分には、長手方向と直交する方向で、かつ第１長辺部２に向かって延びる切り込み部スリット１２ａが設けられている。
【００４５】
以上のように本発明の第２実施形態によれば、首用貼付材１１の切り込み部１２が、特に圧迫感を感じ易い首部分の喉元に位置することとなる。そのため、首用貼付材１１が首部分の喉元でも変形し易くなり、喉元の皮膚が引っ張られ難くなっている。よって、首用貼付材１１が、さらに首部分に密着する一方で、さらに首部分に圧迫感を与え難く、かつさらに剥がれ難くなっている。
【００４６】
ここまで本発明の第２実施形態について述べたが、本発明は既述の第２実施形態に限定されるものではなく、本発明の技術的思想に基づいて各種の変形および変更が可能である。
【００４７】
例えば、本発明の第２実施形態の第１変形例〜第９変形例として、首用貼付材１１がそれぞれ第１実施形態の第１変形例〜第９変形例と同様に構成されてもよい。
【００４８】
本発明の第２実施形態の第１０変形例として、図５に示すように、切り込み部スリット１２ａを設けない構成となっていてもよい。
【００４９】
本発明の第２実施形態の第１１変形例として、第２実施形態の１つの切り込み部スリット１２ａの代わりに、図６に示すように、切り込み部１２の長手方向の中央部分と両端部分との間に切り込み部１２から放射状に広がって延びる切り込み部スリット１２ｂ，１２ｃが設けられていてもよい。
【００５０】
本発明の第２実施形態の第１２変形例として、第２実施形態の第１変形例〜第１１変形例において述べた構成のいずれかを組み合せて構成してもよい。この一例として、図５に示すように、第２実施形態の第２変形例における第２スリット５と、第２実施形態の第１０変形例の切り込み部スリットを有さない切り込み部１２とを組み合せて構成してもよい。
【００５１】
例えば、図６に示すように、第２実施形態の第２変形例における第２スリット５と、第２実施形態の第１１変形例における切り込み部スリット１２ｂ，１２ｃを有する切り込み部１２とを組み合せて構成してもよい。
【００５２】
図７に示すように、第２実施形態の第１変形例において第１切欠部２ａおよび第２切欠部３ａの数を３つにした構成と、第２実施形態の第１０変形例における切り込み部スリットを有さない切り込み部１２とを組み合せて構成してもよい。
【００５３】
図８に示すように、第２実施形態の第１変形例において第１切欠部２ａおよび第２切欠部３ａの数を３つにした構成と、第２実施形態の第１１変形例における切り込み部スリット１２ｂ，１２ｃを有する切り込み部１２とを組み合せて構成してもよい。
【００５４】
図９に示すように、第２実施形態の第１変形例において第１切欠部２ａおよび第２切欠部３ａの数を７つにした構成と、第２実施形態の第２変形例における第２スリット５と、第２実施形態の第９変形例の切り込み部スリットを有さない切り込み部１２とを組み合せて構成してもよい。
【００５５】
図１０に示すように、第２実施形態の第１変形例において第１切欠部２ａおよび第２切欠部３ａの数を７つにした構成と、第２実施形態の第２変形例における第２スリット５と、第２実施形態の第４変形例において第１長辺部２の長手方向の中央に位置する第１切欠部２ａから外側に向かって数えて２番目および３番目に位置する２つの第１切欠部２ａ、並びに第２長辺部３の長手方向の中央に位置する第１切欠部２ａから外側に向かって数えて２番目および３番目に位置する２つの第２切欠部３ａの間に、それぞれ第１スリット４をそれぞれ設けた構成と、第２実施形態の第１１変形例における切り込み部スリット１２ｂ，１２ｃを有する切り込み部１２とを組み合せて構成してもよい。
【００５６】
図１１に示すように、第２実施形態の第１変形例において第１切欠部２ａおよび第２切欠部３ａの数を５つにした構成と、第２実施形態の第６変形例における第１スリット４のスリット部の数を３つ（１つのスリット部４ａおよび２つのスリット部４ｂから成る）にした構成と、第２実施形態の第１０変形例における切り込み部スリット１２ｂ，１２ｃを有する切り込み部１２とを組み合せて構成してもよい。
【００５７】
図１２に示すように、第２実施形態の第１変形例において第１切欠部２ａおよび第２切欠部３ａの数を３つにした構成と、第２実施形態の第６変形例において第１スリット４のスリット部の数を３つ（１つのスリット部４ａおよび２つのスリット部４ｂから成る）にした構成と、第２実施形態の第１１変形例における切り込み部スリット１２ｂ，１２ｃを有する切り込み部１２とを組み合せて構成してもよい。
【００５８】
図１３に示すように、第２実施形態の第１変形例において第１切欠部２ａおよび第２切欠部３ａの数を７つにした構成と、第２実施形態の第４変形例において第１長辺部２の長手方向の中央に位置する第１切欠部２ａから外側に向かって数えて３番目および４番目に位置する２つの第１切欠部２ａ、並びに第２長辺部３の長手方向の中央に位置する第１切欠部２ａから外側に向かって数えて３番目および４番目に位置する２つの第２切欠部３ａの間に、第１スリット４をそれぞれ設けた構成と、第２実施形態の第６変形例において第１スリット４のスリット部の数を３つ（１つのスリット部４ａおよび２つのスリット部４ｂから成る）にした構成と、第２実施形態の第１１変形例における切り込み部スリット１２ｂ，１２ｃを有する切り込み部１２とを組み合せて構成してもよい。
【００５９】
以上のような第２実施形態の第１変形例〜第１２変形例の構成によって、首用貼付材１１が、さらに首部分に密着する一方で、さらに首部分に圧迫感を与え難く、かつさらに剥がれ難くなっている。
【００６０】
（第３実施形態）
本発明の第３実施形態における首用貼付材について説明する。図１４は、本発明の第３実施形態における首用貼付材２１の平面図である。首用貼付材２１は、帯形状に形成されており、帯形状の長手方向に沿って延びる第３長辺部２２および第４長辺部２３を有している。
【００６１】
第３長辺部２２には、複数の第３切欠部２２ａが形成されている。なお、第３実施形態では、一例として、第３切欠部２２ａを５つとして説明する。第４長辺部２３には、５つの第３切欠部２２ａに対して長手方向にシフトして、複数の第４切欠部２３ａがそれぞれ形成されている。なお、第３実施形態では、一例として、第４切欠部２３ａを６つとして説明する。第３切欠部２２ａおよび第４切欠部２３ａは、首用貼付材２１において長手方向に直交する方向の中央に向かって切り欠かれたＶ字状に形成されている。
【００６２】
第３長辺部２２における長手方向の両端に位置する２つの第３切欠部２２ａから、首用貼付材２１の長手方向に直交する方向（または交わる方向であってもよい）に沿って、それぞれ第４スリット２４が形成されている。第４スリット２４は、２つのスリット部２４ａ，２４ｂを有している。２つのスリット部２４ａ，２４ｂは、首用貼付材２１の長手方向に直交する方向（または交わる方向であってもよい）に沿って並んでおり、さらに互いに間隔を空けて配置されている。２つのスリット部２４ａ，２４ｂのうちの第３長辺部２２側に位置するスリット部２４ａは、第３切欠部２２ａから延びるように配置されている。２つのスリット部２４ａ，２４ｂのうちの第４長辺部２３側に位置するスリット部２４ｂは、第４長辺部２３と間隔を空けて配置されている。
【００６３】
第３長辺部２２における長手方向の中央に位置する第３切欠部２２ａから外側に向かって数えて２番目に位置する２つの第３切欠部２２ａから、首用貼付材２１の長手方向に直交する方向（または交わる方向であってもよい）に沿って、それぞれ第５スリット２５が形成されている。第４長辺部２３における長手方向の両端に位置する第４切欠部２３ａから内側に向かって数えて２番目に位置する２つの第４切欠部２３ａから、首用貼付材２１の長手方向に直交する方向（または交わる方向であってもよい）に沿って、それぞれ第６スリット２６が形成されている。
【００６４】
また、首用貼付材２１は、第１実施形態と同様の構成を有する３層構造となっている。このような構成において、首用貼付材２１が、アゴ、エラおよび耳の下方に位置する首部分を覆うように貼り付けられることとなり、首用貼付材２１の第３長辺部２２および第４長辺部２３が、首部分の周方向に沿って配置されることとなる。このとき、第３長辺部２２がアゴ寄りの上側に配置され、第４長辺部２３が肩寄りの下側に配置されることとなる。
【００６５】
首部分からエラにかけてのラインは大きく湾曲しており、このような部分はさらに捩れなどの複雑な動きをする。そのため、首用貼付材２１は、とりわけエラ近傍に位置する第４スリット２４によって、このような複雑なラインおよび複雑な動きに対応し易い構造となっている。また、第３切欠部２２ａおよび第４切欠部２３ａは、首用貼付材２１を首部分に貼り付けた状態および首部分の動きに対応して、広がりまたは狭まることが可能なように構成されている。
【００６６】
以上のように本発明の第３実施形態によれば、第１実施形態と同様の効果が得られることに加えて、下側の第４切欠部２３ａが、上側の第３切欠部２２ａとずれて配置されることによって、首用貼付材２１が、上側の第３切欠部２２ａと異なる位置の動きに追従することができる。よって、首用貼付材２１が、首部分に密着する一方で、さらに首部分に圧迫感を与え難く、かつさらに剥がれ難くなっている。
【００６７】
ここまで本発明の第３実施形態について述べたが、本発明は既述の第３実施形態に限定されるものではなく、本発明の技術的思想に基づいて各種の変形および変更が可能である。
【００６８】
例えば、本発明の第３実施形態の第１変形例として、第３切欠部２２ａの数が５つ以外であってもよく、第４切欠部２３ａの数が６つ以外であってもよい。
【００６９】
本発明の第３実施形態の第２変形例として、第４スリット２４が、第３長辺部２２における長手方向の両端に位置する２つの第３切欠部２２ａ以外にも、他の第３切欠部２２ａから首用貼付材２１の長手方向に直交する方向（または交わる方向であってもよい）に沿って形成されてもよい。
【００７０】
本発明の第３実施形態の第３変形例として、第５スリット２５が、第３長辺部２２における長手方向の中央に位置する第３切欠部２２ａから外側に向かって数えて２番目に位置する２つの第３切欠部２２ａ以外にも、他の第３切欠部２２ａから首用貼付材２１の長手方向に直交する方向（または交わる方向であってもよい）に沿って形成されてもよい。
【００７１】
本発明の第３実施形態の第４変形例として、第６スリット２６が、第４長辺部２３における長手方向の両端に位置する第４切欠部２３ａから内側に向かって数えて２番目に位置する２つの第４切欠部２３ａ以外にも、他の第４切欠部２３ａから首用貼付材２１の長手方向に直交する方向（または交わる方向であってもよい）に沿って形成されてもよい。
【００７２】
本発明の第３実施形態の第５変形例として、第４スリット２４に設けられるスリット部の数が２つ以外であってもよい。
【００７３】
本発明の第３実施形態の第６変形例として、第５スリット２５の代わりに、複数のスリット部を有するスリットが設けられても良い。
【００７４】
本発明の第３実施形態の第７変形例として、第６スリット２６の代わりに、複数のスリット部を有するスリットが設けられても良い。
【００７５】
本発明の第３実施形態の第８変形例として、首用貼付材２１に、第２実施形態と同様の切り込み部１２が設けられてもよい。
【００７６】
本発明の第３実施形態の第９変形例として、首用貼付材２１に、第２実施形態の第１０変形例と同様に、切り込み部スリットを有さない切り込み部１２が設けられてもよい。
【００７７】
本発明の第３実施形態の第１０変形例として、首用貼付材２１に、第２実施形態の第１１変形例と同様に、切り込み部スリット１２ｂ，１２ｃを有する切り込み部１２が設けられてもよい。
【００７８】
本発明の第３実施形態の第１１変形例として、首用貼付材２１が１層構造に構成されてもよい。このような１つの層は、天然繊維の不織布、合成繊維の不織布、合成繊維および天然繊維の混紡の不織布、並びにこれらを積層したものなどから選択される材料によって構成されるとよい。また、この１つの層に、一例として、美容効果を得るための美容成分、化粧用成分、そのた添加物などが含まれていてもよく、さらなる一例として、治療効果を得るための医薬成分、その他添加物および付形剤などが含まれていてもよい。
【００７９】
本発明の第３実施形態の第１２変形例として、第３実施形態の第１変形例〜第９変形例において述べた構成のいずれかを組み合せて構成してもよい。例えば、図１５に示すように、第３実施形態の第１変形例において第３切欠部２２ａの数を３つとし、かつ第４切欠部２３ａの数を４つにした構成と、第３実施形態の第４変形例において第６スリット２６をすべての第４切欠部２３ａに設けた構成とを組み合せて構成してもよい。この場合、第５スリット２５は設けられていない。
【００８０】
図１６に示すように、第３実施形態の第１変形例において第３切欠部２２ａの数を７つとし、かつ第４切欠部２３ａの数を８つにした構成と、第３実施形態の第３変形例において第３長辺部２２の長手方向の中央に位置する第３切欠部２２ａから外側に向かって数えて２番目および３番目に位置する２つの第３切欠部２２ａに第５スリット２５をそれぞれ設けた構成と、第３実施形態の第４変形例において第４長辺部２３の長手方向の両端に位置する第４切欠部２３ａから内側に向かって数えて２番目および４番目に位置する４つの第４切欠部２３ａに第６スリット２６を設けた構成とを組み合せて構成してもよい。
【００８１】
以上のような第３実施形態の第１変形例〜第１２変形例によって、首用貼付材２１が、さらに首部分に密着する一方で、さらに首部分に圧迫感を与え難く、かつさらに剥がれ難くなっている。
【符号の説明】
【００８２】
１  首用貼付材
２  第１長辺部
２ａ  第１切欠部
３  第２長辺部
３ａ  第２切欠部
４  第１スリット
４ａ，４ｂ  スリット部
５  第２スリット
５ａ，５ｂ  スリット部
６  第３スリット
６ａ，６ｂ，６ｃ  スリット部
１１  首用貼付材
１２  切り込み部
１２ａ，１２ｂ，１２ｃ  切り込み部スリット
２１  首用貼付材
２２  第３長辺部
２２ａ  第３切欠部
２３  第４長辺部
２３ａ  第４切欠部
２４  第４スリット
２４ａ，２４ｂ  スリット部
２５  第５スリット
２６  第６スリット
１０１  首部分
１０２  アゴ
１０３  エラ
１０４  耳
Ａ  矢印
【図１】
2010179027.tif 000003
【図２】
2010179027.tif 000004
【図３】
2010179027.tif 000005
【図４】
2010179027.tif 000006
【図５】
2010179027.tif 000007
【図６】
2010179027.tif 000008
【図７】
2010179027.tif 000009
【図８】
2010179027.tif 000010
【図９】
2010179027.tif 000011
【図１０】
2010179027.tif 000012
【図１１】
2010179027.tif 000013
【図１２】
2010179027.tif 000014
【図１３】
2010179027.tif 000015
【図１４】
2010179027.tif 000016
【図１５】
2010179027.tif 000017
【図１６】
2010179027.tif 000018